(57)【特許請求の範囲】
【請求項１】
床に設置する便器の排水流路の終端部に接続され且つ床に載設される床フランジの下連通口を床に開口した排水管に連通させるものにおいて、床フランジの下連通口の周囲を下方に向けて垂設して第１の突部を形成すると共に第１の突部の径をＶＵ７５用の排水管とほぼ同じサイズとし、床フランジの下面の第１の突部の外周に第１の突部よりも下方への突出長さが短い第２の突部を垂設すると共に第２の突部の径をＶＵ１００用の排水管とほぼ同じサイズとし、上記第１の突部乃至第１の突部と第２の突部との間をＶＵ７５用のパッキンを取り付けるための第１のパッキン取り付け部とし、第２の突部乃至第２の突部の外側をＶＵ１００用のパッキンを取り付けるための第２パッキン取り付け部とし、第２パッキン取り付け部に取り付けられたＶＵ１００用のパッキンをＶＵ１００用の排水管の上端部に接続したＶＵ１００用の上フランジ筒の上フランジ部に押し付け、或いは第１のパッキン取り付け部に取り付けられたＶＵ７５用のパッキンをＶＵ７５用の排水管の上端部に接続したＶＵ７５用の上フランジ筒の上フランジ部に押し付けることで床フランジを排水管に連通接続して成ることを特徴とする便器の排水構造。
【請求項２】
床フランジの下面の第２の突部の外周側に隙間を介して第３の突部を設けて成ることを特徴とする請求項１記載の便器の排水構造。
【発明の詳細な説明】
【０００１】
【発明の属する技術分野】
本発明は、ＶＵ７５用の排水管、ＶＵ１００用の排水管の両方に接続することができる便器の排水構造に関するものである。
【０００２】
【従来の技術】
改築などにおいて既に設置してある便器を取り外して新しい便器と交換する場合がある。この場合、床より下方の排水管はそのまま残し、他の便器及び床フランジ等を取り外して新しいものと交換し、上記取り外すことなく残している床部分において開口している既設の排水管の上端部に、床に設置する新設の便器の排水流路の終端部に接続され且つ床に載設される床フランジの下連通口を連通させることで、改築を行うようになっている。
【０００３】
ところが、取り外すことなく残して使用する既設の排水管としてはＶＵ７５用の排水管とＶＵ１００用の排水管との２種類のサイズのものがあり、これは現場ごとに異なるものである。したがって、従来にあっては、既設の配水管に連通接続するための床フランジとしては、ＶＵ７５用の排水管に気密的に連通接続するためのＶＵ７５専用の床フランジと、ＶＵ１００用の排水管に気密的に連通接続するためのＶＵ１００専用の床フランジとの２種類を用意して、現場に応じて使い分けするようにしている。
【０００４】
このため、従来にあっては、部品点数が増え、金型コストも増え、製造コスト、在庫管理コスト等がアップするという問題がある。
【０００５】
【発明が解決しようとする課題】
本発明は上記の点に鑑みてなされたものであり、１種類の床フランジでＶＵ７５用の排水管とＶＵ１００用の排水管との２種類のサイズの配水管に気密的に連通接続することができ、部品点数が少なく、金型コストも低下する便器の排水構造を提供することを課題とするものである。
【０００６】
【課題を解決するための手段】
上記課題を解決するために本発明に係る便器の排水構造は、床１に設置する便器２の排水流路３の終端部に接続され且つ床１に載設される床フランジ４の下連通口５を床１に開口した排水管６に連通させるものにおいて、床フランジ４の下連通口５の周囲を下方に向けて垂設して第１の突部７を形成すると共に第１の突部７の径をＶＵ７５用の排水管６ａとほぼ同じサイズとし、床フランジ４の下面の第１の突部７の外周に第１の突部７よりも下方への突出長さが短い第２の突部８を垂設すると共に第２の突部８の径をＶＵ１００用の排水管６ｂとほぼ同じサイズとし、上記第１の突部７乃至第１の突部７と第２の突部８との間をＶＵ７５用のパッキン９ａを取り付けるための第１のパッキン取り付け部１０とし、第２の突部７乃至第２の突部８の外側をＶＵ１００用のパッキン９ｂを取り付けるための第２パッキン取り付け部１１とし、第２パッキン取り付け部１１に取り付けられたＶＵ１００用のパッキン９ｂをＶＵ１００用の排水管６ｂの上端部に接続したＶＵ１００用の上フランジ筒２３ｂの上フランジ部２４ｂに押し付け、或いは第１のパッキン取り付け部１０に取り付けられたＶＵ７５用のパッキン９ａをＶＵ７５用の排水管６ａの上端部に接続したＶＵ７５用の上フランジ筒２３ａの上フランジ部２４ａに押し付けることで床フランジ４を排水管６に連通接続して成ることを特徴とするものである。このような構成とすることで、ＶＵ７５用の排水管６ａに接続する場合には、第１のパッキン取り付け部１０である第１の突部７乃至第１の突部７と第２の突部８との間にＶＵ７５用のパッキン９ａを取り付けてＶＵ７５用の排水管６ａの上端部との間に気密を確保して連通接続できるものであり、また、ＶＵ１００用の排水管６ｂに接続する場合には、第２のパッキン取り付け部１１である第２の突部８乃至第２の突部８の外側にＶＵ１００用のパッキン９ｂを取り付けてＶＵ１００用の排水管６ｂの上端部との間の気密を確保して連通接続できるものである。そして、第２の突部８は第１の突部７よりも下方への突出長さが短いので、ＶＵ７５用の排水管６ａに接続する場合に第２の突部８に邪魔されることなく連通接続することができるものである。
【０００７】
また、床フランジ４の下面の第２の突部８の外周側に隙間を介して第３の突部１２を設けることが好ましい。このような構成とすることで、第２の突部８の外側にＶＵ１００用のパッキン９ｂを取り付けた場合にＶＵ１００用のパッキン９ｂのずれを第３の突部１２により防止することができるものである。
【０００８】
【発明の実施の形態】
以下、本発明を添付図面に示す実施形態に基づいて説明する。
【０００９】
図１には本発明の一実施形態が示してあり、本実施形態においては既設の古い便器を取り外し、新しい便器２を設置した例が示してある。ここで、既設の排水管６はそのまま残して使用するものである。そして、新しい床フランジ４を床１に新たに載設して固着すると共にこの床フランジ４の下連通口５を床１に開口した排水管６に連通させ、更に、この床フランジ４を新しい便器２の排水流路３の終端部に接続するものである。
【００１０】
床フランジ４は図２乃至図４に示すように下方に開口した下連通口５と側方に開口した接続口１３とを有する略Ｌ字状をした流路１４を有する床フランジ本体部１５の下面部にフランジ部１６を一体に形成して構成してある。床フランジ４の下連通口５の周囲が下方に向けて垂設してあって環状をした第１の突部７となっている。この環状をした第１の突部７の径がＶＵ７５用の排水管６ａとほぼ同じサイズとなっている。また、床フランジ４のフランジ部１６の下面の第１の突部７の外周には第１の突部７との間に隙間を介して第２の突部８が垂設してある。第２の突部８の径をＶＵ１００用の排水管６ｂとほぼ同じサイズとしてある。また、第２の突部８の外周には隙間を介して第３の突部１２が垂設してある。ここで、図２に示すように第２の突部８及び第３の突部１２はいずれも第１の突部７よりも下方への垂下長さが短いものである。そして、第１の突部７乃至第１の突部７と第２の突部８との間をＶＵ７５用のパッキン９ａを取り付けるための第１のパッキン取り付け部１０とし、第２の突部７乃至第２の突部８の外側をＶＵ１００用のパッキン９ｂを取り付けるための第２パッキン取り付け部１１としてある。
【００１１】
図中１７は便器２の排水孔１８に接続するための排水孔接続体であり、上方に開口した排水孔接続口１９と側方に開口した接続口２０とを有する略Ｌ字状をした流路２１を有している。床フランジ４と排水孔接続体１７とは接続管２２の両端部をそれぞれ接続口１３、２０に嵌め込んで取り付けることで連通接続してある。
【００１２】
床フランジ４は上端部が床１に開口した状態で取り外すことなく残っている排水管６の上端部に気密的に連通するように床１上に載設されるのであるが、この場合、床フランジ４の下連通口５が排水管６の上端部に連通すると共に床フランジ４の下面部の第１パッキン取り付け部１１又は第２パッキン取り付け部１１のいずれかに装着したパッキンにより配水管６との気密を確保するものである。
【００１３】
ここで、図１においては床１に上端部が開口して残っている排水管６がＶＵ１００の場合であり、この場合には第２のパッキン取り付け部１１にＶＵ１００用のパッキン９ｂを取り付け、ＶＵ１００用の排水管６ｂの上端部に接続したＶＵ１００用の上フランジ筒２３ｂの上フランジ部２４ｂに上記ＶＵ１００用のパッキン９ｂを押し付けて気密を確保し、この状態で床フランジ４を床１に固着具により固着することで、床フランジ４をＶＵ１００用の排水管６ｂに気密的に連通接続するものである。このように、床フランジ４をＶＵ１００用の排水管６ｂに気密的に連通接続した場合、第１の突部７が第２の突部８よりも垂下長さが長くなっているが、第１の突部７はＶＵ１００用の排水管６ｂよりも径が小さいのでＶＵ１００用の排水管６ｂ内に入り、床フランジ４をＶＵ１００用の排水管６ｂに気密的に連通接続するに当って、垂下長さの長い第１の突部７が邪魔にならないものである。また、図１の実施形態では第２のパッキン取り付け部１１であるＶＵ１００用の突部８の外側に第２のパッキン９ｂを嵌め込んで取り付けた場合、第２の突部８の外側に第３の突部１２を設けてあるので、ＶＵ１００用のパッキン９ｂが圧縮して変形した場合の外側へのずれを第３の突部１２により防止することができて気密性をいっそう確保することができるようにしてある。
【００１４】
排水孔接続体１７も床１上に載設されて固着具により固着されるものである。便器２は上記床フランジ４、接続管２２、排水孔接続体１７を覆うようにして床１に載設して固着具により固着されるのであるが、この場合、排水孔接続体１７の排水孔接続口１９に気密部材２４を介して便器２の排水孔１８を気密的に接続するものである。このように便器２の排水孔１８を排水孔接続体１７に接続することで、便器２の排水管６までの排水流路３の終端に床フランジ４が位置することになる。
【００１５】
なお、新しい便器２を設置する場合、壁面２５から一定の距離を確保する必要がある。しかしながらトイレの壁面２５からの排水管６までの距離Ｌは現場毎に異なるので、現場において接続管２２を切断して長さ調整をして新しい便器２が壁面２５から一定の距離を確保するように設置するものである。
【００１６】
図５には床１に上端部が開口して残っている排水管６がＶＵ７５用の配水管６ａの場合であり、この場合には第１のパッキン取り付け部１０にＶＵ７５用のパッキン９ａを取り付け、ＶＵ７５用の排水管６ａの上端部に接続したＶＵ７５用の上フランジ筒２３ａの上フランジ部２４ａに上記ＶＵ７５用のパッキン９ａを押し付けて気密を確保し、この状態で床フランジ４を床１に固着具により固着することで、床フランジ４をＶＵ７５用の排水管６ａに気密的に連通接続するものである。このように、床フランジ４をＶＵ７５用の排水管６ａに気密的に連通接続した場合、第１の突部７が第２の突部８よりも垂下長さが長くなっているが、第２の突部８や第３の突部１２は第１の突部７よりも垂下長が短いので第２の突部８や第３の突部１２に邪魔されることなく床フランジ４をＶＵ１００用の排水管６ｂに気密的に連通接続することができるものである。
【００１７】
このように本発明においては同一の床フランジ４を用いて、ＶＵ７５用の排水管６ａ、ＶＵ１００用の排水管６ｂのいずれにも気密的に連通接続することができるものである。
【００１８】
なお、添付図面に示す上記実施形態においては、第１の突部７と第２の突部８との間をＶＵ７５用のパッキン９ａを取り付けるための第１のパッキン取り付け部１０として第１の突部７と第２の突部８との間にＶＵ７５用のパッキン９ａを取り付けた例を示したが、第１の突部７を第１のパッキン取り付け部１０としてこの第１の突部７に直接ＶＵ７５用のパッキン９ａを取り付けてもよいものである。また、添付図面に示す上記実施形態においては、第２の突部８の外側をＶＵ１００用のパッキン９ｂを取り付けるための第２パッキン取り付け部１１として第２の突部８の外側にＶＵ１００用のパッキン９ｂを取り付けた例を示したが、第２の突部８を第２のパッキン取り付け部１１としてこの第２の突部８に直接ＶＵ１００用のパッキン９ｂを取り付けてもよいものである。
【００１９】
また、前述の実施形態では既設の配水管６を残して新らしい便器２を取り付けるという改装の場合の例につき説明したが、配水管６を含めてすべて新しい部材を用いた新築の場合にも同様に同一の床フランジ４を用いて、ＶＵ７５用の排水管６ａ、ＶＵ１００用の排水管６ｂのいずれにも気密的に連通接続することができるものである。
【００２０】
【発明の効果】
上記の請求項１記載の発明にあっては、床フランジの下連通口の周囲を下方に向けて垂設して第１の突部を形成すると共に第１の突部の径をＶＵ７５用の排水管とほぼ同じサイズとし、床フランジの下面の第１の突部の外周に第１の突部よりも下方への突出長さが短い第２の突部を垂設すると共に第２の突部の径をＶＵ１００用の排水管とほぼ同じサイズとし、上記第１の突部乃至第１の突部と第２の突部との間をＶＵ７５用のパッキンを取り付けるための第１のパッキン取り付け部とし、第２の突部乃至第２の突部の外側をＶＵ１００用のパッキンを取り付けるための第２パッキン取り付け部とし、第２パッキン取り付け部に取り付けられたＶＵ１００用のパッキンをＶＵ１００用の排水管の上端部に接続したＶＵ１００用の上フランジ筒の上フランジ部に押し付け、或いは第１のパッキン取り付け部に取り付けられたＶＵ７５用のパッキンをＶＵ７５用の排水管の上端部に接続したＶＵ７５用の上フランジ筒の上フランジ部に押し付けることで床フランジを排水管に連通接続してあるので、同一の床フランジを用いてＶＵ７５用の排水管、ＶＵ１００用の排水管のいずれにも気密的に連通接続することができ、この結果、部品点数が少なく、金型コストも低下し、製造コスト、在庫管理コスト等を低減できるものである。
【００２１】
また、請求項２記載の発明にあっては、上記請求項１記載の発明の効果に加えて、床フランジの下面の第２の突部の外周側に隙間を介して第３の突部を設けてあるので、第２のパッキン取り付け部であるＶＵ１００用の突部の外側に第２のパッキンを嵌め込んで取り付けた場合、ＶＵ１００用のパッキンが圧縮して変形した場合の外側へのずれを第３の突部により防止することができて気密性をいっそう確保することができるものである。
【図面の簡単な説明】
【図１】本発明においてＶＵ１００用の配水管に接続した状態の断面図である。
【図２】同上に用いる床フランジと排水孔接続体とを接続管で接続した状態の断面図である。
【図３】同上に用いる床フランジと排水孔接続体とを接続管で接続した状態の下面図である。
【図４】同上に用いる床フランジと排水孔接続体とを接続管で接続した状態の平面図である。
【図５】本発明においてＶＵ７５用の配水管に接続した状態の断面図である。
【符号の説明】
１  床
２  便器
３  排水流路
４  床フランジ
５  下連通口
６  排水管
６ａ  ＶＵ７５用の排水管
６ｂ  ＶＵ１００用の排水管
７  第１の突部
８  第２の突部
９ａ  ＶＵ７５用のパッキン
９ｂ  ＶＵ１００用のパッキン
１０  第１のパッキン取り付け部
１１  第２パッキン取り付け部
１２  第３の突部
２３ａ  ＶＵ７５用の上フランジ筒
２３ｂ  ＶＵ１００用の上フランジ筒
２４ａ  上フランジ部
２４ｂ  上フランジ部
【図１】
0003613986.tif 000002
【図２】
0003613986.tif 000003
【図３】
0003613986.tif 000004
【図４】
0003613986.tif 000005
【図５】
0003613986.tif 000006